(57)【要約】【課題】着用者の身体状況等に影響されることなく、装着位置の微妙な調整を容易に行うことができる使い捨ておむつを提供する。【解決手段】この使い捨ておむつ１は展開型のおむつであり、その腹側部分１１には、着用者の臍を基準とした目安マーク３１が設けられている。この目安マーク３１は、例えば腹側部分１１における着用者の臍に実質的に対応させるべき部分に設けられる。また目安マーク３１は、おむつ１の外面側に設けるようにしてもよく、おむつ１の肌面側に設けるようにしてもよく、あるいは外面側及び肌面側の両面に設けるようにしてもよい。また、目安マーク３１は、染料による着色により形成してもよく、着色された樹脂シートをおむつ１に貼着して形成してもよい。さらに、目安マーク３１の形状は、丸形（「○」形）や、「×」形、「＋」形等、種々の形状を採用することができる。【選択図】図１
2006181195.tif 000002
【特許請求の範囲】
【請求項１】
肌面側と反対側に位置する外側装材と、肌面側に位置する内側装材と、前記外側装材と前記内側装材との間に挟み込まれた吸収体とを備える展開型の使い捨ておむつであって、
着用者に腹側からあてがわれる腹側部分に、着用者の臍を基準とした目安マークが設けられていることを特徴とする使い捨ておむつ。
【請求項２】
請求項１に記載の使い捨ておむつにおいて、
前記目安マークは、前記腹側部分における着用者の臍に実質的に対応させるべき部分に設けられていることを特徴とする使い捨ておむつ。
【請求項３】
肌面側と反対側に位置する外側装材と、肌面側に位置する内側装材と、前記外側装材と前記内側装材との間に挟み込まれた吸収体とを備える展開型の使い捨ておむつであって、
着用者に背側からあてがわれる背側部分に、着用者の臍を基準とした目安マークが設けられていることを特徴とする使い捨ておむつ。
【請求項４】
請求項３に記載の使い捨ておむつにおいて、
前記目安マークは、前記背側部分の少なくとも左右端部における着用者の臍に実質的に対応させるべき上下位置に設けられていることを特徴とする使い捨ておむつ。
【発明の詳細な説明】
【技術分野】
【０００１】
本発明は、展開型の使い捨ておむつに関する。
【背景技術】
【０００２】
着用時の目安となる目安マークが設けられた展開型の使い捨ておむつとしては、特許文献１記載のものがある。この使い捨ておむつでは、着用者の左右方向の中心や、股部の下端等に対応させるべき目安線が設けられている。
【０００３】
【特許文献１】特開２００４−２１６１７２号公報
【発明の開示】
【発明が解決しようとする課題】
【０００４】
しかしながら、上述の身体の左右中心線や股部下端を基準とした目安マークでは、着用者の身体状況（例えば、半身まひや拘縮、男性器のおむつ内の位置等）によっては、装着位置の微妙な調整が困難な場合がある。例えば、身体の左右中心線を基準とした目安線では、着用者の身体に対するおむつの上下位置の特定には利用できず、また、着用者に半身まひ等がある場合には身体の左右中心線を基準とできない場合がある。また、股部下端を基準とした目安線では、男性器の位置等によっては股部下端が分かりにくい場合がある。
【０００５】
そこで、本発明の解決すべき課題は、着用者の身体状況等に影響されることなく、装着位置の微妙な調整を容易に行うことができる使い捨ておむつを提供することである。
【課題を解決するための手段】
【０００６】
上記の課題を解決するため、請求項１の発明では、肌面側と反対側に位置する外側装材と、肌面側に位置する内側装材と、前記外側装材と前記内側装材との間に挟み込まれた吸収体とを備える展開型の使い捨ておむつであって、着用者に腹側からあてがわれる腹側部分に、着用者の臍を基準とした目安マークが設けられている。
【０００７】
また、請求項２の発明では、請求項１の発明に係る使い捨ておむつにおいて、前記目安マークは、前記腹側部分における着用者の臍に実質的に対応させるべき部分に設けられている。
【０００８】
また、請求項３の発明では、肌面側と反対側に位置する外側装材と、肌面側に位置する内側装材と、前記外側装材と前記内側装材との間に挟み込まれた吸収体とを備える展開型の使い捨ておむつであって、着用者に背側からあてがわれる背側部分に、着用者の臍を基準とした目安マークが設けられている。
【０００９】
また、請求項４の発明では、請求項３の発明に係る使い捨ておむつにおいて、前記目安マークは、前記背側部分の少なくとも左右端部における着用者の臍に実質的に対応させるべき上下位置に設けられている。
【発明の効果】
【００１０】
請求項１及び３に記載の発明によれば、着用者の臍と目安マークの位置関係を目安としておむつの装着を行えるため、着用者の身体状況等に影響されることなく、装着位置の微妙な調整を容易に行うことができる。
【００１１】
請求項２に記載の発明によれば、目安マークが、おむつの腹側部分における着用者の臍に実質的に対応させるべき部分に設けられているため、単一の目安マークを用いておむつの上下、左右の位置調整を一度に行うことができる。
【００１２】
また、目安マークが位置的に視認容易であるとともに、臍との距離も近いため、目安マークと臍との位置関係を容易に把握することができる。
【００１３】
請求項４に記載の発明によれば、目安マークがおむつの背側部分の少なくとも左右端部における着用者の臍に実質的に対応させるべき上下位置にに設けられているため、おむつを着用者の臀部にあてがうときのおむつの上下位置を目安マークを利用して調整することができ、その結果、おむつ装着作業の初期の段階で（おむつの背側部分を着用者の臀部にあてがうときに）、おむつの位置を容易かつ確実に調整することができる。
【発明を実施するための最良の形態】
【００１４】
［第１実施形態］
図１は本発明の第１実施形態に係る使い捨ておむつの装着状態の図であり、図２は図１のおむつを展開した図であり、図３は図２のおむつを外面側（肌面側と反対側）から見た図である。
【００１５】
この使い捨ておむつ１は、図１ないし図３に示すように、展開型の使い捨ておむつであって、排泄物を吸収する吸収体３と、肌面側と反対側に位置する外側装材（バックシート）５と、肌面側に位置する内側装材７とを備えており、吸収体３が外側装材５と内側装材７との間に挟み込まれている。ここで、腹側、背側及び股下側から着用者にあてがわれるおむつ１の各部分について、腹側部分１１、背側部分１３及び股下部分１５と呼ぶこととする。
【００１６】
使い捨ておむつ１を展開したときの平面形状は、図２に示すように、股下部１５の部分がややくびれた略ひょうたん形となっており、吸収体３も同様な平面形状を有している。
【００１７】
背側部分１３の左右両縁には、おむつ１の止着用の付着片１７が接合されている。これに対応して、腹側部分１３の外面側には付着片１７が着脱自在に付着する付着部１９が設けられている。この付着片１７と付着部１９とは、例えば面ファスナーを構成しており、付着片１７側にフック材が設けられ、付着部１９側にそのフック材が係合するループ材が設けられている。なお、付着片１７及び付着部１９の構成は、これに限定されるものではなく、粘着式のものを採用してもよい。
【００１８】
外側装材５は、少なくとも吸収体３を挟み込む部分は不透液性となっている。本実施形態では、外側装材５の全体が撥水性不織布又は樹脂製シート等により構成される。
【００１９】
内側装材７は、少なくとも吸収体３を挟み込む部分は透液性となっている。本実施形態では、内側装材７は、透液性のトップシート２１と、不透液性の左右２つのサイドシート２３とを備えている。より詳細には、トップシート２１は透液性の不織布等により構成され、サイドシート２３は通気性があって撥水性を有する不織布等により構成されている。ここで、トップシート２１は、おむつ１の左右方向の中央部に縦方向に沿って帯状に配置され、左右のサイドシート２３はトップシート２１の左右両側に縦方向に沿って帯状に配置されている。そして、両サイドシート２３は、その一部がトップシート１１の左右の側縁部に肌面側から重なるようにして配置されており、そのトップシート１１上に重なるサイドシート２３の部分によって立体ギャザー２５が形成されている。その立体ギャザー２５の自由端部はゴム等の弾性部材２７を包み込んだ状態で略管状に接合されている。
【００２０】
また、おむつ１の左右縁部（特に、股下部１５の左右縁部）には、脚用のゴム等の弾性部材２９が挟み込まれている。
【００２１】
また、このおむつ１の腹側部分１１には、図１ないし図３に示すように、着用者の臍を基準とした目安マーク３１が設けられている。この目安マーク３１は、例えば、腹側部分１１における着用者の臍に実質的に対応させるべき部分に設けられる。
【００２２】
目安マーク３１は、図１及び図３に示すようにおむつ１の外面側に設けるようにしてもよく、おむつ１の肌面側に設けるようにしてもよく、あるいは外面側及び肌面側の両面に設けるようにしてもよい。また、目安マーク３１は、染料による着色により形成してもよく、着色された樹脂シートをおむつ１に貼着して形成してもよい。さらに、目安マーク３１の形状は、図１に示すような丸形（「○」形）や、「×」形、「＋」形等、種々の形状を採用することができる。
【００２３】
このため、このおむつ１を装着するときには、目安マーク３１と着用者の臍との位置関係を目安として（例えば、目安マーク３１が臍にほぼ対向するようにして）、おむつ１を着用者の適切な位置に装着することができる。このとき、着用者の臍と目安マーク３１の位置関係を目安としておむつの装着を行えるため、着用者の身体状況等に影響されることなく、装着位置の微妙な調整を容易に行うことができる。
【００２４】
また、目安マーク３１がおむつ１の腹側部分１１における着用者の臍に実質的に対応させるべき部分に設けられているため、単一の目安マーク３１を用いておむつ１の上下、左右の位置調整を一度に行うことができる。
【００２５】
また、目安マーク３１が位置的に視認容易であるとともに、臍との距離も近いため、目安マーク３１と臍との位置関係を容易に把握することができる。
【００２６】
［第２実施形態］
図４は、本発明の第２実施形態に係る使い捨ておむつの構成を示す図である。本実施形態に係る使い捨ておむつ４１が前述の第１実施形態に係る使い捨ておむつ１と実質的に異なる点は、目安マーク４３に関する構成のみであり、互いに対応する部分には同一の参照符号を付して説明を省略する。
【００２７】
本実施形態に係るおむつ４１では、その背側部分１３の肌面側に、着用者の臍４５を基準とした目安マーク４３が設けられている。この目安マーク４３は、背側部分１３（付着片１７を含む）の少なくとも左右端部における着用者の臍４５に実質的に対応させるべき上下位置に設けられている。なお、図４に示す構成では、目安マーク４３を左右の付着片１７に設けるようにしたが、背側部分１３の内側装材７の左右端部に設けるようにしてよい。あるいは、左右の付着片１７間又は内側装材７の左右端間を連続的（又は間欠的）に横断するようにして目安マーク４３を設けるようにしてもよい。
【００２８】
目安マーク４３は、前述の目安マーク３１とほぼ同様に、染料による着色により形成してもよく、着色された樹脂シートをおむつ４１に貼着して形成してもよい。また、目安マーク４３の形状は、図４に示すような横線形や、「○」形等、種々の形状を採用することができる。
【００２９】
このため、おむつ４１の装着時には、おむつ４１の背側部分１３を着用者の臀部にあてがうときに、目安マーク４３と着用者の臍４５との位置関係を参照して（例えば、左右の目安マーク４３の上下位置が臍４５とほぼ一致するようにして）、おむつ４１の位置調節を行うことができる。このとき、着用者の臍と目安マーク４１の位置関係を目安としておむつ４１の装着を行えるため、着用者の身体状況等に影響されることなく、装着位置の微妙な調整を容易に行うことができる。
【００３０】
また、おむつ４１を着用者の臀部にあてがうときのおむつ４１の上下位置を目安マーク４３を利用して調整することができるため、おむつ装着作業の初期の段階で（おむつ４１の背側部分１３を着用者の臀部にあてがうときに）、おむつ４１の位置を容易かつ確実に調整することができる。
【００３１】
なお、本実施形態に係るおむつ４１の変形例として、目安マーク４３に追加して、前述の第１実施形態に係る目安マーク３１を設けるようにしてもよい。
【図面の簡単な説明】
【００３２】
【図１】本発明の第１実施形態に係る使い捨ておむつの装着状態の図である。
【図２】図１のおむつを展開した図である。
【図３】図２のおむつを外面側から見た図である。
【図４】本発明の第２実施形態に係る使い捨ておむつの構成を示す図である。
【符号の説明】
【００３３】
１  使い捨ておむつ、３  吸収体、５  外側装材、７  内側装材、１１  腹側部分、１３  背側部分、１５  股下部分、１７  付着片、１９  付着部、３１  目安マーク、４１  使い捨ておむつ、４３  目安マーク
【図１】
2006181195.tif 000003
【図２】
2006181195.tif 000004
【図３】
2006181195.tif 000005
【図４】
2006181195.tif 000006